(57)【要約】【課題】コンロの上面に衝撃を与えるとともに、コンロの上面と回動隔壁の間に手を挟まれる、ことを防止することができるコンロ用隔壁装置を提供する。【解決手段】コンロ用隔壁装置２０は、コンロ１０の上面１１に取り付けられるガイド部３０としてのスライダガイド部材３１と、スライダガイド部材３１に沿って移動可能な隔壁部４０と、を備える。隔壁部４０は、隔壁部４０の移動方向において連設された複数の分割体５０で構成されている。平面視において、スライダガイド部材３１が略コの字状に形成され、コンロ１０の上面１１の左右側と後側に取り付けられ、隔壁部４０が、複数の分割体５０が連結されて形成される、複数の左分割体群４１、右分割体群４２で構成され、互いに隣接する左分割体群４１、右分割体群４２どうしが連結可能とされている。【選択図】図１
0003219203.tif 000002
【実用新案登録請求の範囲】
【請求項１】
コンロの上面に取り付けられるガイド部と、前記ガイド部に沿って移動可能な隔壁部と、を備えるコンロ用隔壁装置であって、
隔壁部は、前記隔壁部の移動方向において連設された複数の分割体で構成されていることを特徴とするコンロ用隔壁装置。
【請求項２】
平面視において、前記ガイド部が、環状に形成され、前記コンロの上面の左右側と前後側に取り付けられ、
前記隔壁部が、複数の前記分割体が連結されて形成される、一つの分割体群で構成されていることを特徴とする請求項１記載のコンロ用隔壁装置。
【請求項３】
平面視において、前記ガイド部が略コの字状に形成され、前記コンロの上面の左右側と後側に取り付けられ、
前記隔壁部が、複数の前記分割体が連結されて形成される、複数の分割体群で構成され、
互いに隣接する前記分割体群どうしが連結可能とされていることを特徴とする請求項１記載のコンロ用隔壁装置。
【請求項４】
前記分割体には、外側に突設される放熱部が形成されていることを特徴とする請求項１、２又は３記載のコンロ用隔壁装置。
【請求項５】
前記分割体には、表示部の一部を示す部分表示が形成され、前記部分表示が集合することで、前記隔壁部に前記表示部が形成されることを特徴とする請求項１、２又は３記載のコンロ用隔壁装置。
【考案の詳細な説明】
【技術分野】
【０００１】
本考案は、調理器具の転倒などを防ぐコンロ用隔壁装置に関する。
【背景技術】
【０００２】
従来のコンロ用隔壁装置として、本出願人が先にした特許文献１に記載されるものがあった。これによれば、コンロ上面の左右側と後側に乗せられる略コ字状の固定枠体と、固定枠体と略重なる略コ字状の回動隔壁と、を備えていた。そして、固定枠体の左側の左側部材と右側の右側部材に、それぞれ回動部が設けられ、回動隔壁の左側の左脚部材と右側の右脚部材に、それぞれ回動受部が設けられていた。左脚部材の回動受部が左側部材の回動部に回動可能に軸支され、右脚部材の回動受部が右側部材の回動部に回動可能に軸支されて、回動隔壁が、固定枠体に、前後に亘って回動可能に軸支されていた。
【０００３】
これにより、コンロの加熱部分を遮蔽することができ、人が調理器具の取手を掴んで調理器具を人の方向に落下させることを防ぐことができることとされていた。
【先行技術文献】
【特許文献】
【０００４】
【特許文献１】実用新案登録第３２１７３８１号公報
【考案の概要】
【考案が解決しようとする課題】
【０００５】
しかし、上記のコンロ用隔壁装置では、回動隔壁が、固定枠体に、前後に亘って回動可能に軸支されているので、回動隔壁を、前から後、後から前、に回動させると、コンロの上面に衝撃を与えるとともに、コンロの上面と回動隔壁の間に手を挟んでしまうおそれがあった。
【０００６】
本考案は、上記事情に鑑み、コンロの上面に衝撃を与えるとともに、コンロの上面と回動隔壁の間に手を挟まれる、ことを防止することができるコンロ用隔壁装置を提供するものである。
【課題を解決するための手段】
【０００７】
請求項１記載の考案では、コンロの上面に取り付けられるガイド部と、前記ガイド部に沿って移動可能な隔壁部と、を備えるコンロ用隔壁装置であって、
隔壁部は、前記隔壁部の移動方向において連設された複数の分割体で構成されている。
【０００８】
これによれば、隔壁部をガイド部に沿って移動させる構成としたので、コンロの上面に衝撃を与えるとともに、コンロの上面と隔壁部の間に手が挟まれる、ことを防止することができる。
【０００９】
また、平面視において、前記ガイド部が、環状に形成され、前記コンロの上面の左右側と前後側に取り付けられ、
前記隔壁部が、複数の前記分割体が連結されて形成される、一つの分割体群で構成されている。
【００１０】
これによれば、調理を行う場合には、コンロの上面の後側に隔壁部を待機させることができるので、隔壁部が、コンロでの調理作業を行うときに、邪魔にならなくすることができる。さらに、隔壁部を一つの分割体群で構成することで、移動作業を容易にすることができる。
【００１１】
また、平面視において、前記ガイド部が略コの字状に形成され、前記コンロの上面の左右側と後側に取り付けられ、
前記隔壁部が、複数の前記分割体が連結されて形成される、複数の分割体群で構成され、
互いに隣接する前記分割体群どうしが連結可能とされている。
【００１２】
これによれば、調理を行う場合には、複数の分割体群を、コンロの上面の左右側にそれぞれ待機させることができ、コンロの上面の後側に隔壁部を待機させる場合に比べて分割体群の移動距離を少なくすることが可能となる。また、互いに隣接する分割体群どうしが連結可能とされていることで、手が入る隙間を無くして安全性を確保することができる。
【００１３】
また、前記分割体に、外側に突設される放熱部を形成すれば、放熱部により分割体が熱くなることを抑制することができる。また、仮に人が分割体に触ったとしても接触面積を小さくして、大事に至らないようにすることができる。
【００１４】
また、前記分割体には、表示部の一部を示す部分表示が形成され、前記部分表示が集合することで、前記隔壁部に前記表示部が形成される。
【００１５】
これによれば、表示部の表示により、人に注意喚起を促すことが可能となるので、安全性を向上させることができる。
【図面の簡単な説明】
【００１６】
【図１】本考案の第一の実施形態におけるコンロ用隔壁装置の隔壁部を前側に移動させた状態を示す平面図である。
【図２】同実施形態の隔壁部の左分割体群のみを示した部分正面図である。
【図３】同実施形態の内側からみた部分斜視図である。
【図４】分割体を説明する斜視図である。
【図５】左分割体群と右分割体群との連結部分及びその周辺の分割体を説明する正面図である。
【図６】左分割体群と右分割体群との連結部分及びその周辺の分割体を説明する平面図である。
【図７】図１におけるＶＩＩ−ＶＩＩ線矢視断面図である。
【図８】同実施形態の右分割体群を右側に移動させた状態を示す部分平面図である。
【図９】本考案の第二の実施形態におけるコンロ用隔壁装置の隔壁部を前側に移動させた状態を示す平面図である。
【図１０】分割体に放熱部を設ける場合の説明斜視図である。
【図１１】隔壁部に表示部を設ける場合の説明正面図である。
【考案を実施するための形態】
【００１７】
本考案のコンロ用隔壁装置の第一の実施形態について図面に基づいて説明する。以下の説明では、各図面に付される矢印の、Ｆを前、Ｂを後ろ、Ｒを右、Ｌを左、Ｕを上、Ｄを下、方向とする。
【００１８】
コンロ用隔壁装置２０は、概略的には、図１〜３、８に示すように、ガイド部３０と、隔壁部４０と、を有して、コンロ１０の上面１１に配設されるものである。
【００１９】
ガイド部３０は、図１〜３、５、７、８に示すように、平面視において、略コの字状に形成され、コンロ１０の上面１１に取り付けられている。
【００２０】
本実施形態では、ガイド部３０は、アルミニウム製のスライダガイド部材３１で構成されている。
【００２１】
スライダガイド部材３１は、断面がリップを有したＣ型鋼状に形成されている。スライダガイド部材３１は、開口部３２が外側となるように配置され、内側下部から突出する取付片３３において、コンロ１０の上面１１の左右側と後側にねじ止めされて固定されている。
【００２２】
隔壁部４０は、本実施形態では、図１〜８に示すように、左分割体群４１と、右分割体群４２と、で構成されている。
【００２３】
左分割体群４１、右分割体群４２は、耐熱強化ガラス（ＪＩＳ  Ｒ  ３２２３）製の複数の分割体５０が、連結されて構成されている。
【００２４】
分割体５０は、図４、６等に示すように、オス型分割体５０Ａと、メス型分割体５０Ｂと、がある。
【００２５】
オス型分割体５０Ａには、平面視における長手方向における両端部に、首部５０Ａ２と、首部５０Ａ２より幅広に形成された頭部５０Ａ３と、を有した連結凸部５０Ａ１が配設されている。
【００２６】
オス型分割体５０Ａの首部５０Ａ２の近傍には、後述する連結片５０Ｂ２と干渉しないように切り取られた逃がし部５０Ａ４が設けられている。
【００２７】
メス型分割体５０Ｂには、平面視における長手方向における両端部に、首部５０Ａ２を通過可能とし、頭部５０Ａ３を通過不可能とする、一対の連結片５０Ｂ２が配設されている。一対の連結片５０Ｂ２の内側が、連結凸部５０Ａ１と連結可能な連結凹部５０Ｂ１とされている。
【００２８】
また、図１等に示すように、左分割体群４１の右分割体群４２とは反対側の端部に配置されるオス型分割体５０Ａ及び右分割体群４２の左分割体群４１とは反対側の端部に配置されるオス型分割体５０Ａは、自由端側が連結凸部５０Ａ１を有さない曲面に形成されている。
【００２９】
連結凹部５０Ｂ１の上側の端部又は下側の端部から、連結凸部５０Ａ１の頭部５０Ａ３を進入させて、蓋部材５１で上側から覆うことにより、オス型分割体５０Ａの上方向への移動を規制するとともに、メス型分割体５０Ｂの下方向への移動を規制して、略上下方向を軸として、隣接するオス型分割体５０Ａとメス型分割体５０Ｂとが互いに回動可能とされている。
【００３０】
以上のことより、連結凸部５０Ａ１と連結凹部５０Ｂ１とで、左分割体群４１、右分割体群４２のヒンジ部分が構成されていることになる。
【００３１】
また、図６に示すように、左分割体群４１の右端部に配置されるオス型分割体５０Ａの右分割体群４２側の端部には、一対の係合片５０Ａ６が配設されている。一対の係合片５０Ａ６の内側で係合凹部５０Ａ５が構成されている。また、右分割体群４２の左端部に配置されるオス型分割体５０Ａの左分割体群４１側の端部には、係合凸部５０Ａ７が配設されている。
【００３２】
一対の係合片５０Ａ６に係合凸部５０Ａ７を進入させて、係合凹部５０Ａ５と係合凸部５０Ａ７とが連結されて、左分割体群４１と右分割体群４２とが連結可能とされている。なお、連結が簡単に解除されないことを考慮するのであれば、係合凸部５０Ａ７の外側、係合凹部５０Ａ５の内側に、耐熱性を有し弾性変形可能な弾性部材を配設することが望ましい。
【００３３】
オス型分割体５０Ａには、図７に示すように、水平面を軸として回動可能なローラ５２が軸部材５３を介して取り付けられている。ローラ５２は、スライダガイド部材３１の内周面にガイドされながら、転動可能に形成されている。オス型分割体５０Ａは、スライダガイド部材３１及びローラ５２により、上下方向への移動、軸部材５３の軸線方向への移動、を規制されることになる。
【００３４】
コンロ用隔壁装置２０の使用態様について説明する。図１〜３、８は、コンロ１０にコンロ用隔壁装置２０を設置した態様である。
【００３５】
コンロ用隔壁装置２０を設置したコンロ１０を使用して、炒めものなどの調理を行う場合には、図８に参照するように、隔壁部４０を構成する左分割体群４１をコンロ１０の上面１１の左側、右分割体群４２をコンロ１０の上面１１の右側、に移動させる。これにより、調理を行う場合には、左分割体群４１、右分割体群４２を、コンロ１０の上面１１の左右側にそれぞれ待機させることができ、コンロ１０の前側に調理スペースが確保されるため、コンロ用隔壁装置２０の存在によって調理が妨げられることはない。
【００３６】
煮込み料理などの調理の際であって、鍋などに長時間火をかけっぱなしにする場合には、図１に示すように、左分割体群４１、右分割体群４２をコンロ１０の加熱部分の前面側に移動させる。このとき、オス型分割体５０Ａに配設されたローラ５２が、スライダガイド部材３１の内周面にガイドされながら、転動するため、左分割体群４１、右分割体群４２の移動に要する力を小さくすることができる。
【００３７】
また、左分割体群４１、右分割体群４２は、略上下方向を軸として、隣接するオス型分割体５０Ａとメス型分割体５０Ｂとが互いに回動可能とされているので、ガイド部３０の直線部分以外のカーブ部分においても、円滑に移動させることができる。
【００３８】
そして、図６に示すように、一対の係合片５０Ａ６内に係合凸部５０Ａ７を進入させて、係合凹部５０Ａ５と係合凸部５０Ａ７とを連結させて、左分割体群４１と右分割体群４２とを連結する。
【００３９】
隔壁部４０を構成する左分割体群４１、右分割体群４２を、スライダガイド部材３１に沿って移動させる構成としたので、コンロ１０の上面１１に衝撃を与えるとともに、コンロ１０の上面１１と隔壁部４０の間に手を挟まれる、ことを防止することができる。
【００４０】
コンロ１０の上面１１の後側に隔壁部４０を待機させる場合に比べて左分割体群４１、右分割体群４２の移動距離を少なくすることが可能となる。また、互いに隣接する左分割体群４１、右分割体群４２どうしが連結可能とされていることで、手が入る隙間を無くして安全性を確保することができる。
【００４１】
上記構成のコンロ用隔壁装置２０では、コンロ１０の上面１１に取り付けられるガイド部３０としてのスライダガイド部材３１と、スライダガイド部材３１に沿って移動可能な隔壁部４０と、を備えるコンロ用隔壁装置であって、
隔壁部４０は、隔壁部４０の移動方向において連設された複数の分割体５０で構成されている。
【００４２】
これによれば、隔壁部４０をスライダガイド部材３１に沿って移動させる構成としたので、コンロ１０の上面１１に衝撃を与えるとともに、コンロ１０の上面１１と隔壁部４０の間に手が挟まれる、ことを防止することができる。
【００４３】
また、平面視において、スライダガイド部材３１が略コの字状に形成され、コンロ１０の上面１１の左右側と後側に取り付けられ、
隔壁部４０が、複数の分割体５０が連結されて形成される、複数の左分割体群４１、右分割体群４２で構成され、
互いに隣接する左分割体群４１、右分割体群４２どうしが連結可能とされている。
【００４４】
これによれば、調理を行う場合には、複数の左分割体群４１、右分割体群４２を、コンロ１０の上面１１の左右側にそれぞれ待機させることができ、コンロ１０の上面１１の後側に隔壁部４０を待機させる場合に比べて左分割体群４１、右分割体群４２の移動距離を少なくすることが可能となる。また、互いに隣接する左分割体群４１、右分割体群４２どうしが連結可能とされていることで、手が入る隙間を無くして安全性を確保することができる。
【００４５】
本考案のコンロ用隔壁装置の第二の実施形態について図面に基づいて説明する。以下の説明において、第一の実施形態と対応する構成については、同一符号を付し、全部又は一部の説明を省略する。
【００４６】
コンロ用隔壁装置２０Ａでは、図９に示すように、平面視において、ガイド部３０Ａとしてのスライダガイド部材３１Ａが、環状に形成され、コンロ１０の上面１１の左右側と前後側に取り付けられている。
【００４７】
隔壁部４０が、複数の分割体５０が連結されて形成される、一つの分割体群４３で構成されている。
【００４８】
この場合、コンロ用隔壁装置２０における左分割体群４１と右分割体群４２とを連結する部分に対応する部分の構成を、図９の丸内における、右側の分割体５０をオス型分割体５０Ａとし、左側のオス型分割体５０Ａの右側の端部に、連結片５０Ｂ２と同様の一対の連結片５０Ａ９を配設し、一対の連結片５０Ａ９の内側を連結凹部５０Ｂ１と同様の連結凹部５０Ａ８としている。
【００４９】
このような構成とすれば、調理を行う場合には、コンロ１０の上面１１の後側に隔壁部４０を待機させることができるので、隔壁部４０が、コンロ１０での調理作業を行うときに、邪魔にならなくすることができる。さらに、隔壁部４０を一つの分割体群４３で構成することで、移動作業を容易にすることができる。
【００５０】
本考案のコンロ用隔壁装置は上記構成に限定されるものではない。即ち、本考案の要旨を逸脱しない限り各種の設計変更等が可能である。
【００５１】
例えば、図１０に示すように、オス型分割体５０Ａ、メス型分割体５０Ｂに、外側に突設される放熱部５４としてのフィンを形成することができる。このような構成とすれば、放熱部５４によりオス型分割体５０Ａ、メス型分割体５０Ｂが熱くなることを抑制することができる。また、仮に人がオス型分割体５０Ａ、メス型分割体５０Ｂに触ったとしても接触面積を小さくして、大事に至らないようにすることができる。
【００５２】
また、図１１に示すように、オス型分割体５０Ａ、メス型分割体５０Ｂに、表示部４４の一部を示す部分表示５５を形成し、部分表示５５が集合することで、隔壁部４０に表示部４４が形成されるようにすることもできる。このような構成とすれば、表示部４４の表示により、人に注意喚起を促すことが可能となるので、安全性を向上させることができる。
【００５３】
また、スライダガイド部材３１は、開口部３２が外側となるように配置されていたが、開口部３２を、上側、内側となるように配置して、分割体５０をそれに対応させて配置することも可能である。
【００５４】
また、分割体５０は、耐熱ガラスで形成したが、セラミックス、アルミニウム等使用状況に応じて適宜変更することができる。
【００５５】
また、連結凸部５０Ａ１、連結凹部５０Ｂ１、係合凹部５０Ａ５、係合凸部５０Ａ７、連結凹部５０Ａ８は、一体形成されていたが、成形をしやすい部材を用いて、別体で形成することも可能である。
【００５６】
また、放熱部５４はフィンで形成したが、手が接触する面積を小さくすることができるのであれば、円錐状、角錐状、円柱状、角柱状、半球状等、適宜形状を変更することができる。
【００５７】
また、コンロ用隔壁装置２０において、隔壁部４０を、左分割体群４１と、右分割体群４２と、で構成したが、隔壁部４０を、二以外の数の分割体群で構成することも可能である。
【００５８】
また、コンロ用隔壁装置２０Ａにおいて、隔壁部４０を、一つの分割体群４３で構成したが、隔壁部４０を、一以外の数の分割体群で構成することも可能である。
【符号の説明】
【００５９】
１０  コンロ
１１  上面
２０  コンロ用隔壁装置
２０Ａ  コンロ用隔壁装置
３０  ガイド部
３０Ａ  ガイド部
３１  スライダガイド部材
３１Ａ  スライダガイド部材
４０  隔壁部
４１  左分割体群
４２  右分割体群
４３  分割体群
４４  表示部
５０  分割体
５４  放熱部
５５  部分表示
【図１】
0003219203.tif 000003
【図２】
0003219203.tif 000004
【図３】
0003219203.tif 000005
【図４】
0003219203.tif 000006
【図５】
0003219203.tif 000007
【図６】
0003219203.tif 000008
【図７】
0003219203.tif 000009
【図８】
0003219203.tif 000010
【図９】
0003219203.tif 000011
【図１０】
0003219203.tif 000012
【図１１】
0003219203.tif 000013